(57)【要約】【課題】簡単（直感的）な操作にて、楽曲の意図した場所に正確に再生位置を合わせること。【解決手段】特殊なパターンおよび楽曲の再生位置を選択するための再生位置選択図が重ねて印刷された専用シート５と、その専用シート５上をなぞることにより該専用シート５上に印刷された特殊なパターンを読み取って、軌跡情報を出力する電子ペン４と、該電子ペン４より出力される上記軌跡情報に基づいて、選択された楽曲における選択された再生位置より、上記楽曲の再生を開始する制御部６１と、を備える【選択図】図９
2009222782.tif 000002
【特許請求の範囲】
【請求項１】
記載された位置が座標情報として特定可能なパターンおよび楽曲の再生位置を選択するための再生位置選択図が重ねて印刷されたシートと、
そのシート上をなぞることにより該専用シート上に印刷された上記パターンを読み取って、軌跡情報として出力する入力装置と、
該入力装置より出力される上記軌跡情報に基づいて、選択された楽曲における選択された再生位置より、上記楽曲の再生を開始する制御部と、
を備えることを特徴とする楽曲再生システム。
【請求項２】
前記制御部は、前記軌跡情報に含まれる読取座標情報を、上記シート内で単一の座標である変換座標に変換する変換部と、
前記シートと整合の取れた変換座標から前記入力装置がどのグリッド番号のグリッド内をなぞっているかを判定するためのテーブルを記憶するグリッド設定テーブルと、
前記軌跡情報に含まれる読取ページ番号情報から得られる前記シートのページ番号から、該シートがどの楽曲名の楽曲を再生するかを判定するためのテーブルを記憶するページ番号変換テーブルと、
記憶されている楽曲それぞれについて、グリッド番号、タイムタグ、および、楽曲情報または歌詞を対応付け、歌詞ファイルとして記憶する歌詞ファイル記憶部と、
を備えることを特徴とする請求項１に記載の楽曲再生システム。
【請求項３】
前記制御部はさらに、前記読取座標情報から前記変換部により前記変換座標を得て、得られた該変換座標から前記グリッド設定テーブルを参照することで前記入力装置によりなぞられたグリッドのグリッド番号を得て、さらに、前記読取ページ番号情報より得られたページ番号から前記ページ番号変換テーブルを参照することで再生する楽曲の楽曲名を得て、該楽曲名と共に前記グリッド番号を出力する軌跡データ解析部と、
上記軌跡データ解析部より出力された楽曲名に対応する歌詞ファイルを前記歌詞ファイル記憶部より読み出し、同じく上記軌跡データ解析部より出力されたグリッド番号に対応する再生開始位置を示すタイムタグを上記歌詞ファイルより得て、該歌詞ファイルの有する歌詞ファイル名と上記タイムタグとを出力する歌詞ファイル解析部と、
上記歌詞ファイル解析部より出力された上記歌詞ファイル名を有する前記楽曲と上記タイムタグとを入力し、少なくとも、上記歌詞ファイル名を有する前記楽曲と、上記タイムタグを含む当該楽曲を再生するためのコマンドを出力する信号出力部と、
を備えることを特徴とする請求項２に記載の楽曲再生システム。
【請求項４】
前記歌詞ファイルは、前記シートに印刷された前記再生位置選択図と相互に且つ容易に変換可能なテキストファイルフォーマットであることを特徴とする請求項１，２または３に記載の楽曲再生システム。
【請求項５】
前記シートには、前記楽曲情報または前記歌詞に加えて、タイムスケールが印刷され、より細かく楽曲の再生位置を指定可能であることを特徴とする請求項４に記載の楽曲再生システム。
【請求項６】
前記入力装置より、同一の軌跡情報が出力された場合、該同一の軌跡情報が出力された回数をカウントし、その回数分だけ、当該軌跡情報に対応する楽曲情報または歌詞に相当する部分の楽曲の再生を行うことを特徴とする請求項１から５のいずれか１項に記載の楽曲再生システム。
【請求項７】
前記変換部は、前記入力装置内部に設けられていることを特徴とする請求項２に記載の楽曲再生システム。
【請求項８】
前記軌跡データ解析部は、前記入力装置内部に設けられていることを特徴とする請求項３に記載の楽曲再生システム。
【請求項９】
前記読取座標情報を前記変換座標に変換することなく前記楽曲の再生位置の指定を行うことを特徴とする請求項２に記載の楽曲再生システム。
【請求項１０】
記載された位置が座標情報として特定可能なパターンが印刷された専用シート上をなぞることにより該シート上に印刷された前記パターンを読み取って、少なくとも読取座標情報や読取時刻情報や読取ページ番号情報を含む軌跡情報を出力するステップと、
上記読取座標情報から変換部により変換座標を得て、得られた該変換座標からグリッド設定テーブルを参照することで上記入力装置によりなぞられたグリッドのグリッド番号を得て、さらに、読取ページ番号情報より得られたページ番号からページ番号変換テーブルを参照することで再生する楽曲の楽曲名を得て、該楽曲名と共に上記グリッド番号を出力するステップと、
上記出力された楽曲名に対応する歌詞ファイルを歌詞ファイル記憶部より読み出し、同じく上記出力されたグリッド番号に対応する再生開始位置を示すタイムタグを上記歌詞ファイルより得て、該歌詞ファイルの有する歌詞ファイル名と上記タイムタグとを出力するステップと、
上記出力された上記歌詞ファイル名を有する上記楽曲と上記タイムタグとに基づいて、少なくとも上記歌詞ファイル名を有する上記楽曲と上記タイムタグを含み、当該楽曲を再生するためのコマンドを出力するステップと、
を含むことを特徴とする楽曲再生位置の指定方法。
【発明の詳細な説明】
【技術分野】
【０００１】
本発明は、楽曲再生システムおよび楽曲再生位置の指定方法に関する。
【背景技術】
【０００２】
従来、再生装置を使用して楽曲の途中部分からの再生を行う場合、次のように行っている。例えば、ギターの練習でギターソロの部分を集中的に聞きたい場合や、サビ部の再生を行う場合には、マニュアルでスキップさせながら、再生位置を所望の場所にもっていくか、時間（タイムコード）を指定することで行っている。このため所望の再生を行うに当たり、非常に手間がかかっている。また、意図した場所に再生位置を正確に合わせることが困難である。特に、ラジカセタイプの再生装置や携帯型音楽プレーヤーなどのようにユーザインタフェース上の制限の多い機器では、意図した場所に再生位置を正確に合わせることは非常に困難である。
【０００３】
ところで、近年では楽曲データのデジタル化が進んでいる。これにより、楽曲の意図した場所に再生位置を正確に合わせる技術、例えば、モニタ上の歌詞ページに対応した歌詞に相当する位置から楽曲データを再生する技術が提案されている（例えば、特許文献１参照）。
【０００４】
【特許文献１】特開平１１−０９５７７７号公報
【発明の開示】
【発明が解決しようとする課題】
【０００５】
しかしながら、特許文献１記載のような音楽演奏装置における楽曲の再生技術では、ディスプレイを見ながらの指示となるため、例えば、携帯型音楽プレーヤーのような、ディスプレイが小さく、ユーザインタフェース上の制限の多い機器では、意図した場所に再生位置を正確に合わせることは非常に困難である。
【０００６】
本発明は、係る問題に鑑みてなされたもので、簡単な操作にて、楽曲の意図した場所に正確に再生位置を合わせることが可能な楽曲再生システムおよび楽曲再生位置の指定方法を提供することを目的とする。
【課題を解決するための手段】
【０００７】
上述の目的を達成するため、本発明の楽曲再生システムは、記載された位置が座標情報として特定可能なパターンおよび楽曲の再生位置を選択するための再生位置選択図が重ねて印刷されたシートと、そのシート上をなぞることにより該専用シート上に印刷されたパターンを読み取って、軌跡情報として出力する入力装置と、該入力装置より出力される軌跡情報に基づいて、選択された楽曲における選択された再生位置より、楽曲の再生を開始する制御部と、を備えるものである。
【０００８】
また、本発明の楽曲再生システムは、上述の発明において、制御部は、軌跡情報に含まれる読取座標情報を、シート内で単一の座標である変換座標に変換する変換部と、シートと整合の取れた変換座標から入力装置がどのグリッド番号のグリッド内をなぞっているかを判定するためのテーブルを記憶するグリッド設定テーブルと、軌跡情報に含まれる読取ページ番号情報から得られるシートのページ番号から、該シートがどの楽曲名の楽曲を再生するかを判定するためのテーブルを記憶するページ番号変換テーブルと、記憶されている楽曲それぞれについて、グリッド番号、タイムタグ、および、楽曲情報または歌詞を対応付け、歌詞ファイルとして記憶する歌詞ファイル記憶部と、を備えるものである。
【０００９】
また、本発明の楽曲再生システムは、上述の発明において、制御部はさらに、読取座標情報から変換部により変換座標を得て、得られた該変換座標からグリッド設定テーブルを参照することで入力装置によりなぞられたグリッドのグリッド番号を得て、さらに、読取ページ番号情報より得られたページ番号からページ番号変換テーブルを参照することで再生する楽曲の楽曲名を得て、該楽曲名と共にグリッド番号を出力する軌跡データ解析部と、軌跡データ解析部より出力された楽曲名に対応する歌詞ファイルを歌詞ファイル記憶部より読み出し、同じく軌跡データ解析部より出力されたグリッド番号に対応する再生開始位置を示すタイムタグを歌詞ファイルより得て、該歌詞ファイルの有する歌詞ファイル名とタイムタグとを出力する歌詞ファイル解析部と、歌詞ファイル解析部より出力された歌詞ファイル名を有する楽曲とタイムタグとを入力し、少なくとも、歌詞ファイル名を有する楽曲と、タイムタグを含む当該楽曲を再生するためのコマンドを出力する信号出力部と、を備えるものである。
【００１０】
また、本発明の楽曲再生システムは、上述の発明において、歌詞ファイルは、シートに印刷された再生位置選択図と相互に且つ容易に変換可能なテキストファイルフォーマットであることが好ましい。
【００１１】
また、本発明の楽曲再生システムは、上述の発明において、シートには、楽曲情報または歌詞に加えて、タイムスケールが印刷され、より細かく楽曲の再生位置を指定可能であることが好ましい。
【００１２】
また、本発明の楽曲再生システムは、上述の発明において、入力装置より、同一の軌跡情報が出力された場合、該同一の軌跡情報が出力された回数をカウントし、その回数分だけ、当該軌跡情報に対応する楽曲情報または歌詞に相当する部分の楽曲の再生を行うことが好ましい。
【００１３】
また、本発明の楽曲再生システムは、上述の発明において、変換部は、入力装置内部に設けられていることが好ましい。
【００１４】
また、本発明の楽曲再生システムは、上述の発明において、軌跡データ解析部は、入力装置内部に設けられていることが好ましい。
【００１５】
また、本発明の楽曲再生システムは、上述の発明において、読取座標情報を変換座標に変換することなく楽曲の再生位置の指定を行うことが好ましい。
【００１６】
また、本発明の楽曲再生位置の指定方法は、記載された位置が座標情報として特定可能なパターンが印刷された専用シート上をなぞることにより該シート上に印刷されたパターンを読み取って、少なくとも読取座標情報や読取時刻情報や読取ページ番号情報を含む軌跡情報を出力するステップと、読取座標情報から変換部により変換座標を得て、得られた該変換座標からグリッド設定テーブルを参照することで入力装置によりなぞられたグリッドのグリッド番号を得て、さらに、読取ページ番号情報より得られたページ番号からページ番号変換テーブルを参照することで再生する楽曲の楽曲名を得て、該楽曲名と共にグリッド番号を出力するステップと、出力された楽曲名に対応する歌詞ファイルを歌詞ファイル記憶部より読み出し、同じく出力されたグリッド番号に対応する再生開始位置を示すタイムタグを歌詞ファイルより得て、該歌詞ファイルの有する歌詞ファイル名とタイムタグとを出力するステップと、出力された歌詞ファイル名を有する楽曲とタイムタグとに基づいて、少なくとも歌詞ファイル名を有する楽曲とタイムタグを含み、当該楽曲を再生するためのコマンドを出力するステップと、を含むものである。
【発明の効果】
【００１７】
本発明によれば、簡単な操作にて、楽曲の意図した場所に正確に再生位置を合わせることが可能となる。
【発明を実施するための最良の形態】
【００１８】
以下、本発明の実施の形態に係る楽曲再生システムについて、図面を参照して詳細に説明を行う。なお、この楽曲再生システムは、携帯型デジタルオーディオプレーヤーや据え置き型オーディオシステムの例として説明するが、他にパソコンやＰＤＡ（Personal Digital Assistant）、車載装置等にも適用することが可能である。
【００１９】
図１は、本発明の実施の形態に係る楽曲再生システム１の主要構成を示す構成図である。楽曲再生システム１は、楽曲再生位置指定（ユニット）装置２と、ＵＳＢ（Ｕｎｉｖｅｒｓａｌ  Ｓｅｒｉａｌ  Ｂｕｓ）ケーブル３により接続可能な、携帯入力装置（単に、入力装置とも称する）としての電子ペン４と、電子ペン４にて読取可能な特殊なパターンと、ユーザが所望する楽曲におけるユーザが所望する再生位置を選択するための再生位置選択図（後述）が重ねて印刷された専用シートである印刷物としての再生位置選択シート５と、を有する。また、楽曲再生位置指定装置２は、表示部７を有する（省略しても可）。なお、ＵＳＢケーブル３は、通信ケーブル（有線）の一種であるが、例えば、ブルートゥースなどの無線通信ケーブルで構成されていても良い。
【００２０】
電子ペン４は、再生位置選択シート（以下、単にシートとも称する）５に印刷された特殊な、すなわち、記載された位置が座標情報として特定可能なパターンを読み取ることで、シート上でペン先の位置を特定するデータ（座標等）を取得できるものであり、データの取得時刻に基づいて取得したデータ（軌跡情報）をパソコン等の表示手段にプロットすれば、軌跡をデジタルデータとして再現することが可能である。
【００２１】
識別可能な座標は大きな領域をカバーし、Ａ４サイズで仮に１０００枚分と仮定し、その識別をページと定義すると、例えば、［ページ番号（１〜１０００）＋Ａ４サイズ内でのＸＹ座標］の形式にてデータを取得可能である。図２は、ページ数を１６ページと仮定した場合の一例で、プロット点ａを図のように設定したとすると、電子ペン４は、ページ番号ｂとして「６」と、Ａ４サイズ内でのＸＹ座標（図２の手前の長方形を参照）を取得することができる。
【００２２】
ところで、オーディオファイル記録部８では、楽曲に同期して歌詞を表示させるために、図３に示すような、歌詞にタイムタグを付加する方法（技術）が用いられている。この技術を応用して、図３に示すような歌詞ファイルを用意することで、フレーズ（行）単位で楽曲の再生位置を時間で指定することが可能となる。
【００２３】
図４は、電子ペン４に対応した特殊なパターンの印刷されたシートに、図３に対応する楽曲の再生位置を選択するための再生位置選択図２１を重ねて印刷した再生位置選択シート５の例を示している。図４に示すように、電子ペン４にて読み取られた読取座標情報（絶対座標：後述）を、再生位置選択シート５内で単一の座標である変換座標に変換したもの（変換座標）が、点線で示すようなグリッド領域内にあれば、そのグリッドが選択されたと判断される。紙面のグリッド領域は、紙面において横方向Ａ，Ｂ，Ｃのように分割されたＢの領域を歌詞に対応した領域とし、縦方向は「０」から「２０」のように分割された領域が歌詞の各行に対応した領域としている。本実施の形態では、図４において、グリッド番号Ｂ６内の歌詞「二番が始まる」を電子ペン４でなぞった場合を示しており、当該楽曲のなぞった歌詞の部分を再生する。
【００２４】
図５は、図４の再生位置選択シート（以下、専用シートや単にシート或いは紙面とも称する）５の部分断面図である。再生位置選択シート５（の各ページ）は、図５に示すように、シート本体１１の紙面に、赤外線を吸収するインク１２ａからなるドット１２と、赤外線を透過するインク１２ｂからなる再生位置選択図とが印刷されたものである。シート本体１１には、まず、赤外線を吸収するインク１２ａが印刷され、その上に、赤外線を透過するインク１２ｂにより楽曲選択のための情報が印刷される。
【００２５】
再生位置選択シート５の各ページには、赤外線を吸収するインク１２ａにより、複数の座標パターン１３が印刷される。座標パターン１３は、電子ペン４により読み取り可能な解像度のパターンであり、例えば、６×６個のドット１２により構成されている。
【００２６】
図６は、シート本体１１に対する複数の座標パターン１３の印刷状態の一例を示す説明図である。図６において、複数の座標パターン１３を構成する複数のドット１２は、略０．３ミリメートル間隔で、縦横に配列されている。そして、１つの座標パターン１３は、６×６個の計３６個のドット１２により構成される。座標パターン１３内におけるその複数のドット１２の配置は、少なくともその紙面中の複数の座標パターン１３において互いが区別できるように、座標パターン１３毎に互いに異なる。
【００２７】
座標パターン１３は、左右上下に１列または１行ずれることで異なる座標パターン１３となる。また、斜め上、斜め下に１ます分ずれることで異なる座標パターン１３となる。図６で示す座標パターン１３は、その座標パターン１３の中心のます目である中心ます目１３ａの位置を示すパターンとなる。他の座標パターン１３もそれぞれ中心位置を示すものとなる。
【００２８】
具体的にはたとえば、各ドット１２は、図６中の所定の一定間隔毎の縦基準線と横基準線とからなる直交格子１６の交点の位置を基準として、上下左右のいずれか１つの方向（すなわち、４つの方向の中の１つの方向）へ少しずれた位置に印刷される。そして、各座標パターン１３における６×６個の合計３６個のドット１２のずれ方向の組合せは、複数の座標パターン１３の中で唯一なものとなっている。これにより、複数のドット１２の中から６×６個のドット１２を選んだとき、その３６個のドット１２のずれ方向の組合せは、他のすべての３６個のドット１２によるずれ方向の組合せと異なるものとすることができる。この組み合わせは４の３６乗とおりとなる。
【００２９】
この複数の座標パターン１３の中で唯一となる３６個のドット１２のずれ方向の組合せにより、各座標パターン１３には、ユニークな座標値を対応付けることができる。
【００３０】
複数の座標パターン１３は、再生位置選択シート５の紙面の略全面に印刷される。複数の座標パターン１３上には、再生位置選択図２１が重ねて印刷される。しかし、再生位置選択図２１の上に座標パターン１３を印刷しても良い。
【００３１】
シート本体１１の略全面に印刷される複数の座標パターン１３は、それぞれのユニークなドット１２の配列に基づいて、電子ペン４により互いに異なる座標値の座標データへ変換される。再生位置選択図２１と重ねて印刷される複数の座標パターン１３は、紙面上の位置に応じて互いに異なるものとなる。複数の座標パターン１３は、たとえば紙面の左上隅を基準（０，０）とする、Ｘ，Ｙの二次元の座標データへ変換される。図４の紙面では、紙面の横方向がＸ軸であり、紙面の縦方向がＹ軸である。
【００３２】
なお、複数の座標パターン１３は、たとえば１冊の再生位置選択シート５のすべてのページを１つの大きな紙面上に並べたと仮定した状態において、その大きな紙面の左上隅を基準（０，０）とする、Ｘ，Ｙの二次元の座標データ（絶対座標：本実施の形態では読取座標情報はこの絶対座標にて表現されている）へ変換されるものであってもよい。この例の場合、二次元の座標データ（情報）により、ページ内の読取位置のみならず、再生位置選択シート５中のページも特定することが可能である。この二次元座標データは、上述したように、直交格子１６の交点から少しずれた６×６の３６個のドット群から絶対アドレスを算出するようになっている。これにより、この座標パターン１３が印刷された位置や、どの紙（何ページ目の紙）であるかが判断される。この例では、表現できるアドレス面積は、理論的にはユーラシア大陸に匹敵する面積がある。
【００３３】
再生位置選択シート５の各ページには、図５に示すように、赤外線を吸収するインク１２ａの上に、赤外線を透過するインク１２ｂにより、楽曲の再生位置を選択するための再生位置選択図２１や電子ペン用コマンドマーク（図示せず）等が印刷される。再生位置選択図２１および複数の電子ペン用コマンドマークは、シート本体１１の別々の領域に、互いに重ることがないように領域を分けて印刷される。
【００３４】
赤外線を透過するインク１２ｂによりシート本体１１に形成される電子ペン用コマンドマークは、電子ペン４を制御するためのものである。
【００３５】
図７は、図１中の電子ペン４の構成を示すブロック図である。電子ペン４は、ペン軸３１、筆圧センサ３２、赤外線ＬＥＤ（Ｌｉｇｈｔ  Ｅｍｉｔｔｉｎｇ  Ｄｉｏｄｅ）３３、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ３４、ＵＳＢケーブル３が接続されるＵＳＢＩ／Ｆ（ＵＳＢインタフェース）３５、時刻情報を生成するタイマ３６、不揮発性メモリ３７、マイクロコンピュータ３８などを有する。電子ペン４は、図１に示すように、細長い棒形状のハウジング３９を有する。
【００３６】
なお、電子ペン４と楽曲再生位置指定装置２との接続は、ＵＳＢＩ／Ｆ３５の代わりに、たとえばブルートゥースなどの無線通信Ｉ／Ｆを備えるものであってもよい。また、タイマ３６は、電子ペン４がたとえばリセットされてからの経過時間などを時刻として計測するものであってもよい。不揮発性メモリ３７は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などで構成される。
【００３７】
ペン軸３１は、この細長い棒形状のハウジング３９の一端部に、突出して配設される。筆圧センサ３２は、ペン軸３１に作用する筆圧を検出する。筆圧センサ３２は、検出した筆圧値をマイクロコンピュータ３８へ出力する。電子ペン４は、このペン軸３１を利用して画や文字を描くことができるようになっているが、文字等を描くことができず、再生位置選択シート５を単になぞるだけのものとしてもよい。
【００３８】
赤外線ＬＥＤ３３およびＣＭＯＳセンサ３４は、ハウジング３９の一端部において、ペン軸３１の配設位置の周囲に配設される。赤外線ＬＥＤ３３は、ペン軸３１の先端が紙面に触れるとき、その接触部位およびその周囲の部位へ赤外線を照射する。ＣＭＯＳセンサ３４は、紙面のその接触部位およびその周囲の部位により反射される赤外線を受光する。ＣＭＯＳセンサ３４は、受光した赤外線の強度分布データを、マイクロコンピュータ３８へ出力する。
【００３９】
マイクロコンピュータ３８は、メモリ、ＣＰＵ（Ｃｅｎｔｒａｌ  Ｐｒｏｃｅｓｓｉｎｇ  Ｕｎｉｔ）、入出力ポート（図示せず）などを有する。入出力ポートには、筆圧センサ３２、赤外線ＬＥＤ３３、ＣＭＯＳセンサ３４、ＵＳＢＩ／Ｆ３５、タイマ３６、不揮発性メモリ３７などが接続される。電子ペン４のＣＰＵは、不図示のメモリなどから制御プログラムを読み込んで実行する。これにより、電子ペン４のマイクロコンピュータ３８には、読取データ生成部４１と、読取データ送信部４２と、が実現される。
【００４０】
読取データ生成部４１は、ＣＭＯＳセンサ３４により撮像される座標パターン１３を紙面中の座標値へ変換し、図７に示す読取データ４６を生成する。すなわち、座標値の読取座標データ（読取座標情報：絶対座標情報）５１（図８参照）などを有する読取データ（読取情報）４６を生成する。読取データ（情報）生成部４１は、生成した読取データ４６を不揮発性メモリ３７に記憶させる。
【００４１】
図８は、図７中の不揮発性メモリ３７に記憶される所定時間内の読取データ４６のデータ構造の一例を示す図である。読取データ４６は、通常、複数のレコードで構成される。図８では、横一列が１つのレコードに相当する。読取データ４６の各レコードは、少なくとも、読取座標データ（情報）５１と、ペン圧レベルデータ（情報）５２と、読取時刻データ（情報：読取時間データとも称する）５３と、読取ページ番号情報５４と、を有する。読取座標データ５１は、ＣＭＯＳセンサ３４により撮像される座標パターン１３から得られる座標値を有する座標データ（前記絶対座標）であり、Ｘ，Ｙの二次元の座標データである。ペン圧レベルデータ５２は、筆圧センサ３２が検出した筆圧値を有するデータである。読取時刻データ５３は、ある１つの座標パターン１３が得られたときの、タイマ３６が計測する時刻（時間）を有するデータである。読取ページ番号情報５４は、電子ペン４によりなぞられた当該再生位置選択シート５が、何ページ目のシートであるかを示すデータである。
【００４２】
図４中の図示しない電子ペン用コマンドマークの部分は、各マークの印刷されている位置を示す読取座標データに、各機能を紐付けすることで、それぞれの機能を実現するようにしている。
【００４３】
読取データ送信部４２は、図７中の不揮発性メモリ３７に記憶される読取データ４６を、ＵＳＢＩ／Ｆ３５を介してＵＳＢケーブル３により接続される機器へ送信する。図１の楽曲再生システム１では、電子ペン４のＵＳＢＩ／Ｆ３５には、ＵＳＢケーブル３により楽曲再生位置指定装置２が接続される。この結果、この実施の形態では、読取データ送信部４２は、楽曲再生位置指定装置２へ、不揮発性メモリ３７に記憶される読取データ４６を送信する。
【００４４】
図９は、図４のようにグリッド番号Ｂ６を指定した（なぞった）場合に、当該指定された再生開始位置に従って楽曲が再生されるように動作する楽曲再生システム１の主要構成を示すブロック図である。楽曲再生システム１は、楽曲再生位置指定装置２、電子ペン４、再生位置選択シート５を有し、楽曲再生位置指定装置２は、制御部６１と表示部７とオーディオ信号出力部６２とを有する。制御部６１は、軌跡データ解析部１００、変換部１０１、ページ番号変換テーブル１０２、グリッド設定テーブル１０３、制御管理部１０４、歌詞ファイル解析部１０５、歌詞ファイル記憶部１０６、ＲＡＭ（Random Access Memory）１０７、ＲＯＭ（Read Only Memory）１０８、およびシステムバス１０９を有する。
【００４５】
なお、図９では、本実施の形態に関わる部分のみの構成を示している。また、図９では、説明を簡単にするため、１つの制御部６１を配置し、１つの制御管理部１０４により楽曲再生システム１の制御を行うものとしているが、これに限定されることは無く、各機能ブロック毎に制御部または制御管理部を有するユニット構成とすることも可能である。
【００４６】
電子ペン４は、特殊なパターンが印刷された専用の再生位置選択シート５を所定のペン圧（筆圧）レベル以上にてなぞることにより、所定の間隔にて再生位置選択シート５の軌跡情報（読取座標情報や読取時刻情報や読取ページ番号情報等）を読み取り、軌跡データ解析部１００に供給する。なお、軌跡情報を取得データ、座標情報を位置情報とも称する。
【００４７】
軌跡データ解析部１００は、制御管理部１０４の制御のもと、電子ペン４より供給された軌跡情報（取得データ）に含まれる取得座標情報（絶対座標）を、変換部１０１により、再生位置選択シート５内で単一のＸＹ座標（以降、変換座標と称する）に変換された変換座標を得る。また、軌跡データ解析部１００は、グリッド設定テーブル１０３を参照して、電子ペン４が、どのグリッド番号のグリッドをなぞったかを判断する。
【００４８】
また、取得データ解析部１００は、ページ番号変換テーブル１０２を参照して、軌跡情報に含まれるページ番号情報から楽曲名（歌詞ファイル名）を検索・取得し、前述のグリッド番号と共に歌詞ファイル解析部１０５に供給する。
【００４９】
グリッド設定テーブル１０３は、供給された変換座標（列）が、どのグリッド番号（例えば、Ｂ１〜Ｂ２０）及びどのページに属するか（電子ペン４がどのページのどのグリッド内をなぞったか）を判定するためのテーブルを記憶する。グリッド設定テーブルの一例を、図１０に示す。この例では、グリッド番号に対応する領域をＸＹ座標の最小値と最大値で示すものとなっており、供給された変換座標がどのページと対応付けられているか、またそのページがどの楽曲に対応付けられているかを記憶する。この例では、ページ番号と楽曲名が１対１で対応しているが、必ずしも１対１に対応させなくとも良い。
【００５０】
制御管理部１０４は、プロセッサ等から構成され、楽曲再生システム１全体の動作を制御する。
【００５１】
歌詞ファイル解析部１０５は、制御管理部１０４の制御のもと、軌跡データ解析部１００より供給された楽曲名（歌詞ファイル名）を有する歌詞ファイルを歌詞ファイル記憶部１０６より読み出し、同じく軌跡データ解析部１００より供給されたグリッド番号に対応するタイムタグ（再生開始位置）を検索し、前述の歌詞ファイル名と再生開始位置とを、オーディオ信号出力部６２に供給する。
【００５２】
歌詞ファイル記憶部１０６は、オーディオファイル記録部８に記憶されている全ての楽曲（名）それぞれについて、楽曲毎に、グリッド番号、タイムタグ、および楽曲情報（または歌詞）を対応付け、歌詞ファイルとして記憶する。
【００５３】
オーディオ信号出力部６２は、制御管理部１０４の制御のもと、歌詞ファイル解析部１０５より供給された歌詞ファイル名（楽曲名）と再生開始位置（タイムタグ）とに基づいて、該当する歌詞ファイル名の楽曲のタイムタグにより得られた時間（位置）より、当該楽曲を再生するようオーディオファイル記録部８に対して楽曲名およびタイムタグを含むコマンドを出力する。
【００５４】
ＲＡＭ１０７は、制御管理部１０４のワークエリアとして機能する。ＲＯＭ１０８は、この楽曲再生システム１全体の動作制御に必要なオペレーティングシステム（ＯＳ）や動作プログラムや各種のデータを記憶する。
【００５５】
表示部７は、例えば、当該楽曲に対応する歌詞ファイル等を表示する。なお、本実施の形態では、表示部７は、必ずしも設ける（備える）必要は無い。
【００５６】
オーディオファイル記録部８は、楽曲ファイルを記録し、楽曲再生位置指定ユニット２に内蔵されたＨＤＤやメモリ、または外付け可能なカード型メモリやＵＳＢメモリ、携帯型のオーディオプレーヤーであってもよい。
【００５７】
楽曲ファイルは、ＭＰ３などの圧縮ファイルや、非圧縮ファイルであってもよく、歌詞ファイルとの同期がとれれば、オーディオファイル記録部はＣＤ再生装置であって楽曲ファイルはそれが記録されたＣＤから読み出されるデータであってもよい。
【００５８】
システムバス１０９は、上述の各処理部の間で命令やデータを転送するための伝送経路である。
【００５９】
次に、本実施の形態における楽曲再生システム１の動作について、図１１のフローチャートを参照して説明する。なお、以下に説明する動作は、楽曲再生の一例を示すものであって、種々の変形が可能である。以下の動作説明では、最初に軌跡データ解析部１００が、電子ペン４より供給される軌跡情報に含まれる読取座標情報（絶対座標）より変換座標（列）を得て、得られた変換座標（列）から電子ペン４によりなぞられたグリッドのグリッド番号を得て、さらに、軌跡情報に含まれる読取ページ番号情報より得られたページ番号から再生する楽曲の楽曲名を得て、該楽曲名と共にグリッド番号を出力する。続いて、歌詞ファイル解析部１０５が、軌跡データ解析部１００より出力された楽曲名に対応する歌詞ファイルを得て、同じく軌跡データ解析部１００より出力されたグリッド番号に対応する再生開始位置を示すタイムタグを歌詞ファイルより得て、該歌詞ファイルの有する歌詞ファイル名（楽曲名）と上記タイムタグとを出力する。さらに、オーディオ信号出力部６２が、歌詞ファイル解析部１０５より出力された歌詞ファイル名を有する楽曲とタイムタグより得られた時間（再生開始位置）から当該楽曲を再生するようオーディオファイル記録部８に所定のコマンドを出力する。このような場合を例に説明する。
【００６０】
この場合、電子ペン４によりなぞられた、再生位置選択図２１（再生位置選択シート５）上のグリッドのグリッド番号における楽曲情報（または歌詞）に対応する楽曲の再生開始位置より、当該楽曲がオーディオファイル記録部８より再生されることとなる。
【００６１】
まず、制御管理部１０４の制御のもと、軌跡データ解析部１００は、軌跡情報の入力が有ったか否かを判断し（ステップＳ１）、無い場合（ＮＯ）には、所定時間後にステップＳ１を再度行い、有った場合（ＹＥＳ）には、処理をステップＳ２に移す。
【００６２】
ステップＳ２に移行すると、制御管理部１０４の制御のもと軌跡データ解析部１００は、電子ペン４より供給される軌跡情報に含まれる読取座標情報から、変換部１０１により、該読取座標情報（絶対座標）列より変換座標（列）を得て、処理をステップＳ３に移す。
【００６３】
ステップＳ３に移行すると、制御管理部１０４の制御のもと軌跡データ解析部１００は、得られた変換座標（列）からグリッド設定テーブル１０３を参照することで電子ペン４によりなぞられたグリッドのグリッド番号を得て、処理をステップＳ４に移す。
【００６４】
ステップＳ４に移行すると、制御管理部１０４の制御のもと軌跡データ解析部１００は、電子ペン４より供給される軌跡情報に含まれる読取ページ番号情報より、再生位置選択シート（専用シート）５のページ番号を得て、処理をステップＳ５に移す。
【００６５】
ステップＳ５に移行すると、制御管理部１０４の制御のもと軌跡データ解析部１００は、ステップＳ４にて得たページ番号からページ番号変換テーブル１０２を参照することで再生する楽曲の楽曲名を得て、処理をステップＳ６に移す。
【００６６】
ステップＳ６に移行すると、制御管理部１０４の制御のもと歌詞ファイル解析部１０５は、ステップＳ５にて取得した軌跡データ解析部１００より出力された楽曲名に対応する歌詞ファイルを歌詞ファイル記憶部１０６より読み出し、同じく軌跡データ解析部１００より出力されたグリッド番号に対応する再生開始位置を示すタイムタグを歌詞ファイルより得て、処理をステップＳ７に移す。
【００６７】
ステップＳ７に移行すると、制御管理部１０４の制御のもと歌詞ファイル解析部１０５は、上述の歌詞ファイルの有する歌詞ファイル名（楽曲名）を得て、上述のタイムタグより得られた時間から、再生開始位置を特定し、処理をステップＳ８に移す。
【００６８】
ステップＳ８に移行すると、制御管理部１０４の制御のもとオーディオ信号出力部６２は、ステップＳ７にて得られた楽曲名および再生開始位置からなる当該楽曲を再生させるための楽曲名およびタイムタグを含むコマンドをオーディオファイル記録部８に出力し、処理を終了する。
【００６９】
次に、他の実施の形態について説明する。図１２は、楽曲情報または歌詞が印刷されるグリッド番号Ｂ９のグリッド内の楽曲情報または歌詞を電子ペン４により例えば３回なぞった場合における再生位置選択シート５を示す図である。この例の場合、電子ペン４からは、同一の軌跡情報（読取座標情報）が３回出力される。この同一の軌跡情報出力は、軌跡データ解析部１００によりその出力回数がカウントされる。これにより、その同一部分をなぞった回数分だけ（この例では３回）、この軌跡情報に対応するグリッド番号Ｂ９のグリッド内における楽曲情報または歌詞に相当する部分の楽曲の再生が行われることとなる。
【００７０】
この機能は、当該楽曲のギターソロの部分を複数回繰り返して聞きたい（学習したい）場合等に有効である。
【００７１】
次に、さらに他の実施の形態について説明する。図１３は、楽曲情報または歌詞が印刷されるグリッド内にさらにタイムスケール（目盛り）の設けられた再生位置選択シート５を示す図である。図１３の例では、楽曲情報または歌詞の下側にタイムスケール（目盛り）を書き込んでおく。この場合、０．５秒単位での指定（再生位置の微調整）を行うことが可能となる。
【００７２】
図１３では、目盛り［０：０１］の位置からグリッド番号Ｂ６内の歌詞である「二番が始まる」がなぞられて（指定されて）いるので、この再生位置選択シート５に対応する楽曲の再生開始位置（再生開始時間）は、グリッド番号Ｂ６のタイムタグが図３に示すように、［０１：１０］（＝１分１０秒）であるので、［０１：１０］＋［０：０１］＝［０１：１１］秒となり、当該楽曲の先頭位置から［０１：１１］秒後（＝１分１１秒後）の位置から再生が始まることになる。
【００７３】
以上、本発明の実施の形態によれば、特殊なパターンの印刷されたシートに重ねて印刷された歌詞カード（再生位置選択シート５）上を、電子ペン４にてなぞることにより、直感的に当該楽曲の再生開始位置を指定することができる。また、タイムタグは、楽曲情報または歌詞の任意の場所に挿入することが可能であるので、当該楽曲の再生開始位置を、上述の実施の形態よりも、より細かくまたは粗く設定することが可能である。また、楽曲情報や歌詞とは別に、タイムスケール（目盛り）を専用シート上に印刷（当然、認識手段は別途設ける）することにより、より細かな再生開始位置指定が可能となる。
【００７４】
また、再生位置の選択は、電子ペン４にて再生位置選択シート５をなぞることで行うので、なぞった部分を軌跡として認識でき、これにより同一部分を複数回なぞった場合には、その回数を認識することができ、当該楽曲の繰り返し再生の回数を直接的に指定することが可能となる。また、語学の勉強で、指定した文章を繰り返し再生するような使い方も可能である。さらに、ＤＶＤ（映画等）で、シナリオ（書籍）を印刷した同様な専用シートを用意すれば、台詞単位での頭だしが可能となる。
【００７５】
以上、上述の如くに、本発明の実施の形態について説明したが、本発明はこれに限られるものではない。例えば、読取座標情報（絶対座標）を専用シート内での単一のＸＹ座標列である変換座標列へ変換するための変換部１０１は、電子ペン４内に設けるようにしても良い。この場合、軌跡情報に含まれる読取座標情報（絶対座標）は、変換座標（列）に変換された状態で、電子ペン４より軌跡データ解析部１００に供給される。
【００７６】
また、軌跡データ解析部１００を、電子ペン４内部に設けるようにしても良い。また、楽曲再生位置指定ユニット（装置）２を電子ペン４内部に設けるようにしても良い。
【００７７】
また、表示部７としては、外付けしたＭＰ３プレーヤーなどの表示部を使用するようにしても良いし、あるいは、設けなくても良い。さらに、読取座標情報（絶対座標）を変換座標に変換せずに、絶対座標のまま使用するようにしても良い。この場合、グリッド設定テーブル１０３は、専用シートとなる再生位置選択シート５のページ分（グリッド数×ページ数）のレコードを用意する必要がある。また、ページ番号テーブルではなく楽曲名の項目を追加することにより、ページ番号の項目を無くすことができる。またページ番号テーブルはグリッド設定テーブルと別個に設けてもよい。
【００７８】
また、楽曲情報や歌詞にタイムタグを挿入された歌詞ファイルを、テキストファイルにて構成するようにしても良い。これにより、歌詞ファイルと専用シート５に印刷された歌詞カード等とが、相互に且つ容易に変換可能となる。また、市販のＣＤ等に添付されている歌詞カードに予め特殊なドットパターンを印刷しておくようにしても良い。これにより、その歌詞カードをそのまま再生位置選択シート５として使用することも可能となる。
【００７９】
また、携帯入力装置としては、赤外線使用の電子ペン４以外に、超音波、紫外線、磁気などのいずれかを使用する装置としても良い。
【００８０】
また、特殊なパターン（座標パターン）としては、６×６の３６ドットで１つのパターンを示すものではなく、８×８の６４ドットで１つのパターンを示すものとしたり、ドット自体の形状を変えてパターンの継続を増やすパターン形状など他のパターンとしても良い。また、光学パターンではなく、磁気パターン等としても良い。
【００８１】
また、印刷媒体（専用シート）としては、各ドットが認識可能であれば、紙の他に、セルロイド樹脂などの樹脂材、金属材など他の印刷媒体としても良い。
【００８２】
また、上述の実施の形態の楽曲再生システム１が持つ各構成ブロックの機能は、全てまたはその一部をソフトウェアによって実現しても、あるいはその少なくとも一部をハードウェアで実現しても良い。例えば、制御部６１または制御管理部１０４における処理の全部またはその一部は、１又は複数のプログラムによりコンピュータ上で実現しても良く、また、その少なくとも一部をハードウェアで実現しても良い。
【００８３】
また、上記実施の形態はあくまでも説明のためのものであり、本発明の範囲を限定するものではない。例えば、楽曲再生位置指定ユニット（装置）２の全部又は一部として動作させるためのコンピュータプログラムを、メモリカード、ＣＤ−ＲＯＭ、ＤＶＤ、ＭＯ（Magneto Optical Disk）などのコンピュータ読み取り可能な記録媒体に格納して配布し、これを別のコンピュータ、例えば、携帯電話、オーディオ機器、電子時計などにインストールし、楽曲再生位置指定ユニット（装置）２として動作させ、あるいは、楽曲再生位置指定ユニット（装置）２が行う工程を実行させてもよい。さらに、インターネット上のサーバ装置が有するディスク装置等にプログラムを格納しておき、例えば、搬送波に重畳させて、楽曲再生位置指定ユニット（装置）２となるコンピュータにダウンロード等するものとしてもよい。
【図面の簡単な説明】
【００８４】
【図１】本発明の実施の形態に係る楽曲再生システムを示す構成図である。
【図２】図に示される再生位置選択シートのページ数を計１６ページと仮定し、ページ番号「６」の中のプロット点を、Ａ４サイズ内での単一のＸＹ座標（変換座標）として取得した場合を示した図である。
【図３】図に示される楽曲再生位置指定装置中の歌詞ファイル記憶部に記憶される楽曲毎の歌詞ファイルの一例を示した図である。
【図４】図１に示される再生位置選択シートの例（１ページ）を示す図である。
【図５】図４に示される再生位置選択シートの部分断面図である。
【図６】図５に示される再生位置選択シートに対する座標パターンの印刷状態の一例を示す説明図である。
【図７】図１中の電子ペンの主要構成の一例を示すブロック図である。
【図８】図７中の不揮発性メモリに記憶される読取データのデータ構造の一例を示す図である。
【図９】図１中に示される楽曲再生システムの主要構成を示すブロック図である。
【図１０】図９中に示されるグリッド設定テーブルの一例を示す図である。
【図１１】本実施の形態における楽曲再生システムの動作の流れを示すフローチャートである。
【図１２】図１に示す楽曲再生システムで使用される再生位置選択シートの他の部分をなぞった図で、楽曲情報を電子ペンにより３回なぞった場合を示す図である。
【図１３】図１に示す楽曲再生システムで使用される再生位置選択シートの他の例を示す図で、グリッド内にさらにタイムスケール（目盛り）の設けられた再生位置選択シートを示す図である。
【符号の説明】
【００８５】
１  楽曲再生システム
２  楽曲再生位置指定ユニット（装置）
３  ＵＳＢケーブル（通信ケーブル）
４  電子ペン（携帯入力装置）
５  再生位置選択シート（専用シート）
７  表示部
８  オーディオファイル記録部
１３  座標パターン
２１  再生位置選択図
４６  読取データ
５１  読取座標情報
５３  読取時刻情報（読取時間情報）
５４  読取ページ番号情報
６１  制御部
６２  オーディオ信号出力部
１００  軌跡データ解析部
１０１  変換部
１０２  ページ番号変換テーブル
１０３  グリッド設定テーブル
１０４  制御部
１０５  歌詞ファイル解析部
１０６  歌詞ファイル記憶部
１０７  ＲＡＭ
１０８  ＲＯＭ
１０９  システムバス
【図１】
2009222782.tif 000003
【図２】
2009222782.tif 000004
【図３】
2009222782.tif 000005
【図４】
2009222782.tif 000006
【図５】
2009222782.tif 000007
【図６】
2009222782.tif 000008
【図７】
2009222782.tif 000009
【図８】
2009222782.tif 000010
【図９】
2009222782.tif 000011
【図１０】
2009222782.tif 000012
【図１１】
2009222782.tif 000013
【図１２】
2009222782.tif 000014
【図１３】
2009222782.tif 000015